(57)【要約】【課題】  擬似餌を保持してケースを閉めた状態で、針がケースに引っ掛ることが無く、また、擬似餌の出し入れの際に針が誤って手に触れることを防止でき、しかも擬似餌の出し入れが便利な擬似餌ケースを提供する。【解決手段】  擬似餌１０の本体部１０Ａに対して設けられた針部１０Ｂを保持する保持部３０Ｈを有する擬似餌支持体３０と、一側を支持部２０Ｂとし、他側を自由端２０Ａとし、前記支持部を自在回転の枢軸又は枢軸状にして前記針部の全ての針１０Ｈを覆うと共に、擬似餌の一部領域だけを覆い、覆った状態でも外部から擬似餌を摘むことのできるよう擬似餌の一部を露出させるカバー体２０と、前記保持部とカバー体とを収納するケース体４０とを具備するよう構成する。【選択図】        図２
2006262747.tif 000002
【特許請求の範囲】
【請求項１】
擬似餌の本体部に対して設けられた針部を保持する保持部を有する擬似餌支持体と、
一側を支持部とし、他側を自由端とし、前記支持部を自在回転の枢軸又は枢軸状にして前記針部の全ての針を覆うと共に、擬似餌の一部領域だけを覆い、覆った状態でも外部から擬似餌を摘むことのできるよう擬似餌の一部を露出させるカバー体と、
前記保持部とカバー体とを収納するケース体と
を具備することを特徴とする擬似餌ケース。
【請求項２】
擬似餌を取り出した自然状態において、前記カバー体の自由端と前記擬似餌支持体との間に、擬似餌の針部の先を挿入できる空間が残されているか、又はカバー体が可撓性を有する請求項１記載の擬似餌ケース。
【請求項３】
前記擬似餌支持体には、擬似餌の本体部を支持する係合部が形成されている請求項１又は２記載の擬似餌ケース。
【発明の詳細な説明】
【技術分野】
【０００１】
本発明は、ルアーや餌木等の擬似餌を収納するケースに関する。
【背景技術】
【０００２】
従来の擬似餌ケース（ルアーケース）は、ケース内において、釣針の付いた針部を挟持したり、発泡合成樹脂、スポンジ、不織布等に釣針先部を突き刺して保持したり、或いは磁石等が用いられて擬似餌を保持していた。下記特許文献にはこうした従来タイプの一部が開示されている。
【特許文献１】実開昭５５−１２６７７５号公報
【特許文献２】実開昭５７−１８３７３号公報
【特許文献３】特開平８−２１４７４９号公報
【特許文献４】特開２００１−２０４３３８号公報
【発明の開示】
【発明が解決しようとする課題】
【０００３】
然しながら、擬似餌の釣針には種々の形態があり、例えば、トレブルフックを有する魚釣り用ルアーやイカ釣り用の擬似餌では、複数本の釣針が円周上に適宜間隔で並べられているため、保持部に針部を保持した状態において、針先が上側に位置しているものがあり、この針が収納ケースの対向面側に引っ掛ったり、また、擬似餌の出し入れの際に手に触れる虞があり、注意が必要であった。
依って解決しようとする課題は、擬似餌を保持してケースを閉めた状態で、針がケースに引っ掛ることが無く、また、擬似餌の出し入れの際に針が誤って手に触れることを防止でき、しかも擬似餌の出し入れが便利な擬似餌ケースを提供することである。
【課題を解決するための手段】
【０００４】
第１の発明では、擬似餌の本体部に対して設けられた針部を保持する保持部を有する擬似餌支持体と、一側を支持部とし、他側を自由端とし、前記支持部を自在回転の枢軸又は枢軸状にして前記針部の全ての針を覆うと共に、擬似餌の一部領域だけを覆い、覆った状態でも外部から擬似餌を摘むことのできるよう擬似餌の一部を露出させるカバー体と、前記保持部とカバー体とを収納するケース体とを具備することを特徴とする擬似餌ケースを提供する。
支持部を自在回転の枢軸又は枢軸状にしてとは、カバー体の支持部側はめくれないが、自由端側が自在にめくり上げでき、倒伏したカバー体で擬似餌を覆ったり、また、めくり上げることができることを意味しており、枢軸という言葉を厳密に解釈すべきでない。また、針部は、針を設けるための軸があればそれをも含むが、その軸が長くて、全く針の設けられていない領域が露出されていて、そこを摘むことも有り得る。
【０００５】
第２の発明では、第１の発明において、擬似餌を取り出した自然状態において、前記カバー体の自由端と前記擬似餌支持体との間に、擬似餌の針部の先を挿入できる空間が残されているか、又はカバー体が可撓性を有するよう構成する。
第３の発明では、第１の発明又は第２の発明において、擬似餌支持体には、擬似餌の本体部を支持する係合部が形成されているよう構成する。
【発明の効果】
【０００６】
第１の発明では、保持部に保持された擬似餌は、カバー体によってその針部を覆うことができるため、針がケースに引っ掛ることが防止でき、また、擬似餌の出し入れの際に針が誤って手に触れることを防止できる。更には、カバー体は擬似餌全体を覆うのではなく、一部領域を覆い、外部から擬似餌を摘むことのできるよう一部を残して露出させる。従って、取り出しの際には、手でカバー体をめくり上げて開放させるか、又は他方の手でそのカバー体を開放させることなく、一方の手だけで擬似餌を摘んで操作し、保持部から擬似餌の針部を外しつつ、擬似餌の針の湾曲部外側で裏側から押し上げるようにしてカバー体を開き、針先をカバー体に向けないようにして引き出し、簡便に取り出すことができる。
【０００７】
第２の発明では、カバー体の自由端と前記擬似餌支持体との間に、擬似餌の針部の先を挿入できる空間が残されている場合は、擬似餌を持っている手と異なる他方の手でわざわざカバー体を開かなくても、擬似餌の針部を挿入でき、擬似餌の針の湾曲部外側でカバー体を押し上げつつ針部を保持部に保持させることができる。結局、片手で操作できる。また、カバー体が可撓性を有する場合は、自由端は一般に波打ち、擬似餌支持体との間に隙間が生じる他、擬似餌の針部の先部で自由端と擬似餌支持体との間をつつくことにより挿入できる。その後は、擬似餌の針の湾曲部外側でカバー体を押し上げつつ針部を保持部に保持させることができる。
第３の発明では、擬似餌支持体には擬似餌の本体部を支持する係合部が形成されているため、更に擬似餌が安定し、運搬中にも乱れ難い。
【発明を実施するための最良の形態】
【０００８】
以下、本発明を図面を用いて詳細に説明する。図１は本発明に係る擬似餌ケースを開いた状態の斜視図、図２は矢視線Ｂ−Ｂによる横断面図である。擬似餌１０はイカ釣り用のものであり、擬似餌１０の本体部１０Ａの一端部（擬似餌の尻部）において、後方に向かった突出状であって、本体部に対して固定的に軸１０Ｊが設けられている。また、この軸の周りには、複数個の針１０Ｈが適宜な間隔で配設され、針先が後方ではなくて前方に指向している他、複数個の針が２列等、複数列に設けられている。この２列の針１０Ｈと軸１０Ｊとを合わせて針部１０Ｂという。本体部１０Ａには腹の幅方向中央に板状（ヒレ状）の錘部１０ａが一体に設けられている。
【０００９】
ケース体４０は、本体部４０Ａと蓋部４０Ｂとを有し、チャック４２によって閉じることができる。記号４２Ｓはチャックの操作体である。この本体部の中に、ウレタン等の発泡性合成樹脂、スポンジ、不織布等からなる厚板状の矩形形状の擬似餌支持体３０が配設され、本体部４０Ａの底面に接着固定されている。擬似餌支持体の矩形の一側長辺部が本体部４０Ａと蓋部４０Ｂとの接合部に近接しており、他側長辺部３０Ｂは本体部の開放側壁面との間に所定の距離空間を設けている。
【００１０】
この開放側壁面の下端部近くに、塩化ビニール等の合成樹脂製のシート状の可撓性の矩形状カバー体２０の一側長辺部２０Ｂが溶着や接着や縫製等によって支持固定されており、他方の長辺部２０Ａは自由端である。合成樹脂製シートであるため、発泡体のように多孔質であったり、織布のように繊維の目を有しておらず、表面も裏面も平滑であり、針部が刺さり難くなっている。このカバー体２０の場合、無色であり、また、透明である。このように透光性を有していると、カバー体２０を通して擬似餌の針部を視認することができ、擬似餌の針部の保持部への保持と外し操作が容易になる。
【００１１】
この例では、この塩化ビニール製カバー体は、支持部２０Ｂと連続した延設部が前記擬似餌支持体３０と本体部３０Ａとの間に介在し、接着固定されている。カバー体２０は、自由端２０Ａ側が保持部３０Ｈに向かって突出し、保持部３０Ｈの上方を覆うように設けられ、自由端２０Ａをめくり上げた状態（起立した状態）を解除した自然状態では、保持部３０Ｈや針部１０Ｂの針１０Ｈを覆った倒伏した状態となる。従って、カバー体２０の支持を止めるだけで、針１０Ｈはカバー体２０に覆われるようになっている。
【００１２】
一方、擬似餌支持体３０には、長辺方向に並んだ複数個の長孔状係合部３０Ｋが形成されており、上記長辺部３０Ｂの近くの領域は、擬似餌の複数の針の内の下方であって前側に位置する針１０Ｈの先部が突き刺さって針部１０Ｂに対する保持部３０Ｈとしての作用をする。
【００１３】
針部を保持部に保持させて擬似餌を保持すると、前記カバー体２０は擬似餌の針部１０Ｂを完全に覆うと共に、幾分、本体部１０Ａの後方部領域をも覆うように、その自由端２０Ａと支持部２０Ｂとの距離寸法（短辺寸法）を設定している。また、針部を保持部に保持させて擬似餌の板状錘部１０ａを擬似餌支持体３０の長孔状係合部３０Ｋに係合させるが、これによって擬似餌の左右のぐらつきが防止でき、安定する。もし、針部の軸１０Ｊが十分に長く、針１０Ｈの設けられていない軸領域があり、そこに自由端が位置せず、カバー体によって覆われなくてもよい。その場合、その軸部分を摘んで取り出し作業をすることもできる。擬似餌の何処を摘んで取り出すにしても、摘んで幾分前方（擬似餌でいえば後方）に押して保持部３０Ｈから針を外し、上方位置の針の湾曲部外側でカバー体を裏側から押し上げるようにして押し上げつつ、針先をカバー体に向けないようにして引き出す。片手で取り出し可能である。
【００１４】
カバー体の支持部２０Ｂは、ケース体本体部の開放側壁面の下端部近くに位置している。このため、例え、擬似餌が全て取り出されていても、矩形状のカバー体２０は、その裏面が擬似餌支持体３０の長辺部３０Ｂ側の上側角縁に当り、カバー体自体の剛性によってその自由端２０Ａは擬似餌支持体の上面に対して適宜な隙間が生じることが一般的である。まして、擬似餌が１個でも保持状態で残っていれば、その擬似餌の左右近くでは、擬似餌支持体の上面とカバー体の裏面との間に適宜な隙間が存在しており、ここに擬似餌の針部１０Ｂの先を挿入し、針の湾曲部外側で裏側からカバー体を押し上げつつ内部に挿入して、針の先部を保持部３０Ｈに突き刺すと共に、板状錘部１０ａを係合部に係合させれば、擬似餌が安定して保持される。なお、カバー体の自由端２０Ａを湾曲状にしてカバー体の裏面の隙間を大きくすることもできる。
【００１５】
カバー体は可撓性材料以外の、硬質合成樹脂や金属の板部材とし、支持部２０Ｂを蝶番等によって支持することもできる。また、針部１０Ｂの保持では、磁石を使用しても可能である。また、支持部２０Ｂは、必ずしもケース体４０の縁部でなくて、例えば、中央部としてもよい。更に、この中央部からその両側に広がる２枚のカバー体を設け、夫々の側に、擬似餌を保持させる２列構造とすることもできる。
【００１６】
図３は第２の例であり、図１，図２に示す実施形態例と異なる事項を説明する。擬似餌支持体３０は本体部４０Ａの底面の全体に亘った大きさである。その上面であって、本体部４０Ａの開口部側壁面近くには、矩形状カバー体２０の支持部２０Ｂを設けている。一方、擬似餌支持体３０の上面の適宜位置には、各係合部３０Ｋ毎に、係合部３０Ｋと連通し、擬似餌本体部１０Ａの腹部形状に沿った窪み凹部３０Ｋ’を設けており、この凹部も一種の係合部である。この凹部３０Ｋ’が存在するため、擬似餌支持体３０の該凹部３０Ｋ’上面とカバー体２０裏面との間には隙間があり、擬似餌１０を保持させる場合に、この隙間からカバー体裏面と擬似餌支持体上面との間に擬似餌の針部１０Ｂを先から挿入しつつ、針の湾曲部外側でカバー体を押し上げつつ針の先部を、擬似餌支持体の上面部、即ち、保持部３０Ｈに突き刺して保持させることができる。その他は第１形態例と同様である。
【００１７】
図４は第３の例であり、図１、図２に示す実施形態例と異なる事項を説明する。擬似餌支持体３０の長辺部３０Ｂ付近には、擬似餌の針部の軸１０Ｊを挟持する保持部３０Ｈ’が形成されており、その直ぐ前側領域には凹部３０Ｕが形成されている。その他の構造は第１形態例の場合と同様である。擬似餌１０を取り出す際には、本体部１０Ａを摘んで上方に持ち上げつつ、上側の針の湾曲部外側で裏側から押し上げるようにしてカバー体を押し上げ、針先をカバー体に向けないようにして引き出す。片手で取り出し可能である。保持させる場合は、針部１０Ｂの先を凹部３０Ｕの空間隙間に入れて、カバー体を押し上げつつその軸１０Ｊを保持部３０Ｈ’に挟持保持させ、板状錘部１０ａを係合部３０Ｋに係合させる。
【００１８】
固定的でない針部１０Ｂの場合は、擬似餌１０の本体部１０Ａの一端部でカバー体を押し上げたり、手でめくり上げて針部１０Ｂを保持部３０Ｈに保持させる。また、擬似餌１０の本体部１０Ａで針部１０Ｂを押して保持部３０Ｈから外すか、手で針部１０Ｂを摘んで保持部３０Ｈから外すことができる。
【産業上の利用可能性】
【００１９】
本発明は、魚釣り用ルアーやイカ釣り用擬似餌等の擬似餌用の収納ケースに利用できる。
【図面の簡単な説明】
【００２０】
【図１】図１は本発明に係る擬似餌ケースを開いた状態の斜視図である。
【図２】図２は図１の矢視線Ｂ−Ｂによる横断面図である。
【図３】図３は第２形態例の図である。
【図４】図４は第３形態例の図である。
【符号の説明】
【００２１】
１０                  擬似餌
１０Ａ                擬似餌本体部
１０Ｂ                針部
１０Ｈ                針
１０Ｊ                軸
２０                  カバー体
２０Ａ                自由端
２０Ｂ                支持部
３０                  擬似餌支持体
３０Ｈ，３０Ｈ’      保持部
３０Ｋ，３０Ｋ’      係合部
【図１】
2006262747.tif 000003
【図２】
2006262747.tif 000004
【図３】
2006262747.tif 000005
【図４】
2006262747.tif 000006